(57)【要約】【課題】簡単にステッキ類を立て掛け固定でき、名札同様の多目的利用ができる表示具を提供する。【解決手段】上部が紐などを挿通可能とした取付片で、下部が二つ折り状の方形片で構成される。片側方形片の内面に粘着剤層を形成し、粘着剤層と対面する他側方形片の内面に情報を書き込み可能に剥離剤層を設け、方形片の両側外面を書き込み可能とする。【選択図】図１
2010142626.tif 000002
【特許請求の範囲】
【請求項１】
上部が紐などを挿通可能とした取付片で、下部が二つ折り状の方形片で構成され、片側方形片の内面に粘着剤層を形成し、粘着剤層と対面する他側方形片の内面に情報を書き込み可能に剥離剤層を設け、更に方形片の両側外面を書き込み可能としたことを特徴とする立て掛け固定具兼用名札式表示具。
【請求項２】
前記取付片に紐を挿通して紐をステッキ類につなげ、方形片を開いて粘着剤層を壁面等に接着すると立て掛けたステッキ類の転倒防止ができることを特徴とする請求項１記載の立て掛け固定具兼用名札式表示具。
【請求項３】
前記取付片を衣服等に直接又は留め具を介して固定し、方形片を名札として使用することを特徴とする請求項１記載の立て掛け固定具兼用名札式表示具。
【発明の詳細な説明】
【技術分野】
【０００１】  本発明は、ステッキ・傘などの立て掛け固定具を兼ねた名札式表示具に関する。
【背景技術】
【０００２】  ステッキ・傘などを柱や壁面に沿って立て掛ける場合、通常はそのままやゝ斜めにして固定しておくことが多く、このためバランスを崩すと立て掛けたものが転倒し、やむなくかがんで拾うといったことは誰もが経験しているところである。特にステッキは高齢者や足に疾患を持つ者が頻繁に使う必需品であり、転倒したものを拾う作業自体高齢者等にとって面倒であるばかりか息切れがしたり身体的苦痛を伴うことが少なくない。そこでステッキなどを立て掛ける際の補助具といったものが従来にも提案されていて転倒を未然に防止する工夫がなされている（例えば特許文献１〜３参照）。
【特許文献１】特開２００６−１７５１８８号公報
【特許文献２】特開２００５−２７０３６１号公報
【特許文献３】特開２０００−３２５１１９号公報
【発明の開示】
【発明が解決しようとする課題】
【０００３】  特許文献１に記載のものは、杖に着脱自在の取り付け輪部と金属製の挟み具を連結部材で連結し、挟み具を杖に固定するための磁石を組み合わせることを特徴とし、杖の転倒と置き忘れを防止できるというものである。この技術では挟み具を衣服やバッグなどに固定することを条件とするため杖を柱や壁面に直接立て掛けて置きその場所を離れるといった場面の転倒防止には妥当しないという問題がある。【０００４】  特許文献２に記載のものは、杖の握りの一側面に設けた２個の滑り止め突起部により壁面等の平坦面や電柱などの円柱状のものに立て掛けても滑って倒れないことを特徴としたものであるが、２個の突起部が当接面にバランス良く接触しないと安定性に欠けて傾いてしまい遂には転倒するおそれもある。また握りに突起部を形成するための特別の加工を要し、このため従来の握りをそのまゝの形では利用できないという不具合がある。【０００５】  特許文献３に記載のものは、杖の起立状態を確保するために杖の下端に転倒防止具を設ける構造としている。この転倒防止具は写真機における三脚のようなもので末広がり状となる傾斜状の支えで形成されていて通常はこの支えを上方へ移動若しくは引き込むことで目立たなくすることもできるとしているが、単に杖を壁面等に立て掛けるには却って不便であり、構造も複雑となるので加工手数が面倒になるなどの問題点がある。【０００６】  本発明は上記した従来技術に鑑みてなされたもので、随所においてステッキ等を立て掛けることができ、立て掛けたものがその状態を確固として維持でき且つ自己のものであることが容易に認識できるとともに、立て掛け用だけでなく、名札同様自己を示す標識ともなり得る多目的利用が可能な表示具を提供することを意図している。
【課題を解決するための手段】
【０００７】  上記課題を解決するために本発明は、上部が紐などを挿通可能とした取付片で、下部が二つ折り状の方形片で構成され、片側方形片の内面に粘着剤層を形成し、粘着剤層と対面する他側方形片の内面に情報を書き込み可能に剥離剤層を設け、更に方形片の両側外面を書き込み可能としたことを主旨としている。【０００８】  前記取付片に紐を挿通して紐をステッキ類につなげ、方形片を開いて粘着剤層を壁面等に接着すると立て掛けたステッキ類の転倒防止ができることを特徴とする。【０００９】  前記取付片を衣服等に直接又は留め具を介して固定し、方形片を名札として使用することを特徴とする。
【発明の効果】
【００１０】  二つ折り状の方形片を開くと粘着剤層が現れるので、この粘着剤層により方形片を壁面・柱・家具類など随所に固定できる。したがって取付片に紐類を挿通して紐をステッキなどの長尺物に結い付けると、ステッキを壁面・柱などに立て掛けても粘着剤層がそれらの表面に接着して立て掛け状態が確固として保持され、転倒することがないので屈んで拾うといった手間がかゝらず、無理な姿勢をとる必要がないため高齢者や障害者の不便を未然に防止できる。また方形片の内外面には氏名などの書き込みができるため他人の持ち物との区別も容易に認識できる。【００１１】  方形片は手で開かない限り粘着剤層によって両側が閉じられた状態にあり、このため内部の離型紙に個人の情報を書き込んでも外部から視認されることはなく安全が確保されるが、例えば徘徊老人や幼児などの衣服に名札同様に取り付けておくことで、いざというときには方形片相互を容易に開くことができ、内部に書かれた情報を確認することで迷子となっても遅滞なく家族などに連絡できるといったメリットがある。【００１２】  粘着剤層は汚れても洗えば繰り返し使用ができ、したがって長期使用が可能であり、構造も簡単で製作も容易であるから安価に提供できる。
【発明を実施するための最良の形態】
【００１３】  本発明を実施するための最良の形態につき図面を参照して説明すると、図１は全体の概略を示し、１は厚紙・合成樹脂などの扁平形状をした取付片で中央上部に透孔２が形成され該透孔２に紐３が挿通可能となっている。【００１４】  ４及び５は取付片１の下部に位置する取付片１と同材の二つ折り状の方形片であり、片側方形片４（図では左側）の内面にホットメルトの粘着剤層６が形成されている。また他側方形片５（図では右側）の内面には、前記粘着剤層６に対面する剥離剤層７が設けられている。したがって両側の方形片４・５を閉じると粘着剤層６と剥離剤層７が密着して方形片４・５は隙間なく一体状となるが、指で摘むと両方形片４・５は容易に離間し大きく開くことができる。片側方形片４の外面と他側方形片５の内外面には任意の事項を書き込むことができ、例えば人目に付く片側方形片４の表面に自己の氏名などの情報８を書き込むことで名札同様の使用ができる。【００１５】  また図２のように他側方形片５側にも住所・生年月日・連絡先などの情報９を書き込むことが可能であり、方形片４・５の表面に書き込むのに相応しくない個人情報などはこの部分に書き込むことで方形片４・５を閉じた状態では第三者に認識されないですむとともに不測の事故などで本人確認が必要となる場合に方形片４・５を開けば直ちに連絡先などへの手配ができるというメリットがある。【００１６】  図３はステッキ１０に取付片１をつなげて立て掛け固定具とした例を示す。図示のようにステッキ１０の握り１１に小孔１２があれば該小孔１２に取付片１に挿通してある紐３をつなげ、方形片４・５を開いて粘着剤層６を壁面２０に固定すると壁面２０に立て掛けたステッキ１０の転倒を未然に防止できる。粘着剤層６は方形片４を摘めば容易に壁面２０より取り外すことができるため立て掛けたステッキ１０を遅滞なく使用できる。粘着剤層６は柱の表面、金属面、ガラス面など殆どの表面に接着が可能であり、吸盤のように当接面によって落下しやすいといった懸念もないので安心して使用できる。方形片４・５は握り１１以外に例えばシャフト１３に仮想線示のようにゴム製の環状体１３を嵌合しその環状体１３に取付片１の紐３をつなげるようにしてもよく、つなげる方法に限定はない。また粘着剤層６は水洗いが可能でほこりなどが付着した場合は簡単に洗い流したり払拭することで接着力も復元するので繰り返し使用に適する。【００１７】  図４は取付片１を衣服３０のポケット３１に取り付けた例を示す。この場合上記のように取付片１の紐３を衣服につなげてもよいが、図示のように方形片４・５を開いてポケット３１に挟着し粘着剤層６をポケット３１の表面に接着すると簡単に取り付けできる。また図示はしないがクリップ状の留め具を用いて固定するようにしてもよく、更には取付片１の片側に面ファスナーを設け、該面ファスナーを衣服に固着するような方式でもよい。方形片４・５の表面及び内面には情報８・９を書き込んでおき、認知症で徘徊癖のある老人や、迷子になるおそれのある幼児などの名札として便利である。粘着剤層６によって方形片４・５は密着しており内部に書かれた情報を外部からは視認されないが、自己を主張できない老人や幼児の所在を速やか��確認できて都合がよい。【００１８】  本発明は上記したステッキだけでなく、傘などの立て掛け固定用としても妥当し、また取り付け手段も多様であり、全体の大きさにも特に限定はなく、本発明の目的効果を奏する範囲における部分的な形状の変更は本発明の実施の範疇に属し、またバッグ類など種々の物品にも取り付けできること勿論で広範囲の用途に供されるものである。
【図面の簡単な説明】
【００１９】
【図１】本発明の概略説明図である。
【図２】方形片を開いて内部を示した説明図である。
【図３】ステッキの立て掛け固定用とした本発明の説明図である。
【図４】名札式に本発明を使用した説明図である。
【符号の説明】
【００２０】１  取付片      ２  透孔      ３  紐      ４・５  方形片      ６  粘着剤層
７  剥離剤層      ８・９  情報      １０  ステッキ      ２０  壁面
３０  衣服
【図１】
2010142626.tif 000003
【図２】
2010142626.tif 000004
【図３】
2010142626.tif 000005
【図４】
2010142626.tif 000006